(57)【特許請求の範囲】
【請求項１】
ネットワーク上に公開されたＷｅｂページを取得する取得部
を具備し、
前記Ｗｅｂページは、その複数の領域のそれぞれに作成された複数のＷｅｂデータを含み、
更に、
前記Ｗｅｂページに含まれる前記複数のＷｅｂデータの中から、テキストデータである記事候補Ｗｅｂデータを選択する記事候補選択部と、
前記記事候補Ｗｅｂデータの中から、前記テキストデータに句点が使用されている記事文章候補Ｗｅｂデータをテキスト文章Ｗｅｂデータとして選択する記事文章候補選択部と、
前記テキスト文章Ｗｅｂデータを出力装置に出力する出力制御部と
を具備するＷｅｂページ文章自動検出装置。
【請求項２】
請求項１に記載のＷｅｂページ文章自動検出装置において、
前記選択部は、更に、
前記記事文章候補Ｗｅｂデータの各々において、前記テキストデータに使用される文字のサイズのうちの、最も使用頻度が高いサイズを決定し、前記記事文章候補Ｗｅｂデータの中から、前記決定されたサイズが最も大きい記事文章Ｗｅｂデータを前記テキスト文章Ｗｅｂデータとして選択する記事文章選択部
を具備するＷｅｂページ文章自動検出装置。
【請求項３】
ネットワーク上に公開されたＷｅｂページを取得する取得部
を具備し、
前記Ｗｅｂページは、その複数の領域のそれぞれに作成された複数のＷｅｂデータを含み、
更に、
記事文章取得命令に応じて、
前記Ｗｅｂページに含まれる前記複数のＷｅｂデータの中から、テキストデータである記事候補Ｗｅｂデータを選択する記事候補選択部と、
前記記事候補Ｗｅｂデータの中から、前記テキストデータに句点が使用されている記事文章候補Ｗｅｂデータをテキスト文章Ｗｅｂデータとして選択する記事文章候補選択部と、
書込文章取得命令に応じて、
前記Ｗｅｂページに含まれる前記複数のＷｅｂデータの中から、前記テキストデータである書込候補Ｗｅｂデータを選択する書込候補選択部と、
前記書込候補Ｗｅｂデータの中から、画像、記号、リンク、予め決められた除外用語句の少なくとも１つを表すＷｅｂデータ以外の書込文章候補Ｗｅｂデータを前記テキスト文章Ｗｅｂデータとして選択する書込文章候補選択部と、
前記記事文章取得命令又は前記書込文章取得命令により選択された前記テキスト文章Ｗｅｂデータを出力装置に出力する出力制御部と
を具備するＷｅｂページ文章自動検出装置。
【請求項４】
請求項３に記載のＷｅｂページ文章自動検出装置において、
更に、前記記事文章取得命令に応じて、
前記記事文章候補Ｗｅｂデータの各々において、前記テキストデータに使用される文字のサイズのうちの、最も使用頻度が高いサイズを決定し、前記記事文章候補Ｗｅｂデータの中から、前記決定されたサイズが最も大きい記事文章Ｗｅｂデータを前記テキスト文章Ｗｅｂデータとして選択する記事文章選択部と、
更に、前記書込文章取得命令に応じて、
前記Ｗｅｂページが表示されるときの表示幅に対して、前記書込文章候補Ｗｅｂデータが作成された領域の幅を認識し、前記書込文章候補Ｗｅｂデータの中から、前記幅が最も広い書込文章Ｗｅｂデータを前記テキスト文章Ｗｅｂデータとして選択する書込文章選択部と
を具備するＷｅｂページ文章自動検出装置。
【請求項５】
請求項１〜４のいずれかに記載のＷｅｂページ文章自動検出装置において、
更に、
前記Ｗｅｂページを前記取得部が取得するときに用いるアドレスと、登録済みの文章を表す登録済Ｗｅｂデータとが登録された文章検出データベースと、
前記テキスト文章Ｗｅｂデータと、前記登録済Ｗｅｂデータとが一致しないとき、前記テキスト文章Ｗｅｂデータを前記登録済Ｗｅｂデータとして前記文章検出データベースに登録する登録部と
を具備するＷｅｂページ文章自動検出装置。
【請求項６】
請求項３又は４に記載のＷｅｂページ文章自動検出装置において、
更に、
前記取得部が前記Ｗｅｂページを取得するときに用いるアドレスと、前記選択部が前記記事文章取得命令又は前記書込文章取得命令を実行するための命令と、登録済みの文章を表す登録済Ｗｅｂデータとが登録された文章検出データベースと、
前記テキスト文章Ｗｅｂデータと、前記登録済Ｗｅｂデータとが一致しないとき、前記テキスト文章Ｗｅｂデータを前記登録済Ｗｅｂデータとして前記文章検出データベースに登録する登録部と
を具備するＷｅｂページ文章自動検出装置。
【請求項７】
請求項５又は６に記載のＷｅｂページ文章自動検出装置において、
前記出力装置は、
音声合成装置を含み、
前記音声合成装置は、
複数の語句を複数の読みに対応付ける辞書データベースと、
前記辞書データベースを参照して、語句群を表す読み上げ用テキストデータから読み群を生成し、前記読み群を音声に変換し、前記音声をスピーカから出力する音声合成エンジンと
を具備し、
前記出力制御部は、
前記テキスト文章Ｗｅｂデータと、前記登録済Ｗｅｂデータとが一致しないとき、前記テキスト文章Ｗｅｂデータを前記読み上げ用テキストデータとして前記音声合成装置に出力する
Ｗｅｂページ文章自動検出装置。
【請求項８】
請求項５〜７のいずれかに記載のＷｅｂページ文章自動検出装置において、
前記出力装置は、
表示装置を含み、
前記出力制御部は、
前記テキスト文章Ｗｅｂデータと、前記登録済Ｗｅｂデータとが一致しないとき、前記テキスト文章Ｗｅｂデータが表す前記文章を前記表示装置に表示する
Ｗｅｂページ文章自動検出装置。
【請求項９】
請求項５〜８のいずれかに記載のＷｅｂページ文章自動検出装置において、
前記出力装置は、
印刷装置を含み、
前記出力制御部は、
前記テキスト文章Ｗｅｂデータと、前記登録済Ｗｅｂデータとが一致しないとき、前記テキスト文章Ｗｅｂデータが表す前記文章を前記印刷装置により印刷する
Ｗｅｂページ文章自動検出装置。
【請求項１０】
請求項７〜９のいずれかに記載のＷｅｂページ文章自動検出装置において、
前記出力制御部は、
前記テキスト文章Ｗｅｂデータと、前記登録済Ｗｅｂデータとが一致しないとき、前記テキスト文章Ｗｅｂデータが表す文章のうちの、前記登録済Ｗｅｂデータが表す前記登録済みの文章以外の文章を選択し、前記選択された文章を前記出力装置に出力する
Ｗｅｂページ文章自動検出装置。
【請求項１１】
Ｗｅｂページ文章自動検出装置と、
出力装置と
を具備し、
前記Ｗｅｂページ文章自動検出装置は、
ネットワーク上に公開されたＷｅｂページを取得する取得部を具備し、
前記Ｗｅｂページは、その複数の領域のそれぞれに作成された複数のＷｅｂデータを含み、
前記Ｗｅｂページ文章自動検出装置は、更に、
前記Ｗｅｂページに含まれる前記複数のＷｅｂデータの中から、テキストデータである記事候補Ｗｅｂデータを選択する記事候補選択部と、
前記記事候補Ｗｅｂデータの中から、前記テキストデータに句点が使用されている記事文章候補Ｗｅｂデータをテキスト文章Ｗｅｂデータとして選択する記事文章候補選択部と、
前記テキスト文章Ｗｅｂデータを前記出力装置に出力する出力制御部と
を具備するＷｅｂページ文章自動検出システム。
【請求項１２】
Ｗｅｂページ文章自動検出装置と、
出力装置と
を具備し、
前記Ｗｅｂページ文章自動検出装置は、
ネットワーク上に公開されたＷｅｂページを取得する取得部
を具備し、
前記Ｗｅｂページは、その複数の領域のそれぞれに作成された複数のＷｅｂデータを含み、
更に、
記事文章取得命令に応じて、
前記Ｗｅｂページに含まれる前記複数のＷｅｂデータの中から、テキストデータである記事候補Ｗｅｂデータを選択する記事候補選択部と、
前記記事候補Ｗｅｂデータの中から、前記テキストデータに句点が使用されている記事文章候補Ｗｅｂデータをテキスト文章Ｗｅｂデータとして選択する記事文章候補選択部と、
書込文章取得命令に応じて、
前記Ｗｅｂページに含まれる前記複数のＷｅｂデータの中から、前記テキストデータである書込候補Ｗｅｂデータを選択する書込候補選択部と、
前記書込候補Ｗｅｂデータの中から、画像、記号、リンク、予め決められた除外用語句の少なくとも１つを表すＷｅｂデータ以外の書込文章候補Ｗｅｂデータを前記テキスト文章Ｗｅｂデータとして選択する書込文章候補選択部と、
前記記事文章取得命令又は前記書込文章取得命令により選択された前記テキスト文章Ｗｅｂデータを前記出力装置に出力する出力制御部と
を具備するＷｅｂページ文章自動検出システム。
【請求項１３】
コンピュータを用いるＷｅｂページ文章自動検出方法であって、
ネットワーク上に公開されたＷｅｂページを取得するステップ
を具備し、
前記Ｗｅｂページは、その複数の領域のそれぞれに作成された複数のＷｅｂデータを含み、
更に、
前記Ｗｅｂページに含まれる前記複数のＷｅｂデータの中から、テキストデータである記事候補Ｗｅｂデータを選択するステップと、
前記記事候補Ｗｅｂデータの中から、前記テキストデータに句点が使用されている記事文章候補Ｗｅｂデータをテキスト文章Ｗｅｂデータとして選択するステップと、
前記テキスト文章Ｗｅｂデータを前記出力装置に出力するステップと
を具備するＷｅｂページ文章自動検出方法。
【請求項１４】
コンピュータを用いるＷｅｂページ文章自動検出方法であって、
ネットワーク上に公開されたＷｅｂページを取得するステップ
を具備し、
前記Ｗｅｂページは、その複数の領域のそれぞれに作成された複数のＷｅｂデータを含み、
更に、
記事文章取得命令に応じて、
前記Ｗｅｂページに含まれる前記複数のＷｅｂデータの中から、テキストデータである記事候補Ｗｅｂデータを選択するステップと、
前記記事候補Ｗｅｂデータの中から、前記テキストデータに句点が使用されている記事文章候補Ｗｅｂデータをテキスト文章Ｗｅｂデータとして選択するステップと、
書込文章取得命令に応じて、
前記Ｗｅｂページに含まれる前記複数のＷｅｂデータの中から、前記テキストデータである書込候補Ｗｅｂデータを選択するステップと、
前記書込候補Ｗｅｂデータの中から、画像、記号、リンク、予め決められた除外用語句の少なくとも１つを表すＷｅｂデータ以外の書込文章候補Ｗｅｂデータを前記テキスト文章Ｗｅｂデータとして選択するステップと、
前記記事文章取得命令又は前記書込文章取得命令により選択された前記テキスト文章Ｗｅｂデータを前記出力装置に出力するステップと
を具備するＷｅｂページ文章自動検出方法。
【請求項１５】
請求項１３又は１４に記載のＷｅｂページ文章自動検出方法の各ステップを前記コンピュータに実行させるコンピュータプログラム。
【発明の詳細な説明】
【技術分野】
【０００１】
本発明は、Ｗｅｂ（ウェブ）ページからテキストデータを取得するＷｅｂページ文章自動検出装置に関する。
【背景技術】
【０００２】
音声合成処理を実行する音声合成装置が開発されている。音声合成（Ｔｅｘｔ  Ｔｏ  Ｓｐｅｅｃｈ）処理とは、文が記載されたテキストデータを音声に変換し、その音声をスピーカから出力させる処理である。このような音声合成処理は、Ｗｅｂページや電子メールの読み上げなど一意でないテキストデータを音声に変換するときに、非常に役に立つ。
【０００３】
Ｗｅｂページは、ソースファイルにタグが用いられ、文、画像、記号、リンク等を示すデータがＨＴＭＬ（Ｈｙｐｅｒ  Ｔｅｘｔ  Ｍａｒｋｕｐ  Ｌａｎｇｕａｇｅ）形式、あるいはＸＭＬ（ｅＸｔｅｎｓｉｂｌｅ  Ｍａｒｋｕｐ  Ｌａｎｇｕａｇｅ）形式に変換されることにより、作成される。Ｗｅｂページは、複数のＷｅｂデータを含んでいる。複数のＷｅｂデータは、Ｗｅｂページの複数の領域のそれぞれに作成されている。そこで、複数のＷｅｂデータの中からテキストデータを全て取得するテキストデータ取得装置が開発されている。
【０００４】
テキストデータ取得装置は、取得した全てのテキストデータを音声合成装置に出力する。音声合成装置は、テキストデータ取得装置により取得された全てのテキストデータを受け入れ、読み上げる。この場合、利用者が必要とするテキストデータと、利用者が必要としないテキストデータとが読み上げられ、利用者にとっては煩わしい。そこで、利用者が必要とするテキストデータを利用者自身が選択する第１のテキストデータ選択装置が開発されている。
【０００５】
第１のテキストデータ選択装置は、音声合成装置が各テキストデータを読み上げ、その読み上げの冒頭部分を利用者が聞いたときに、利用者の指示により各テキストデータの要・不要を決定する。この場合でも、利用者が必要とするテキストデータの冒頭部分と、利用者が必要としないテキストデータの冒頭部分とが読み上げられ、利用者にとっては煩わしい。そこで、予め決められた文字列を含むテキストデータを選択する第２のテキストデータ選択装置が開発されている。
【０００６】
第２のテキストデータ選択装置は、例えば、予め決められたタイトル等の文字列が登録された記憶装置を備えている。第２のテキストデータ選択装置は、テキストデータ取得装置により取得された全てのテキストデータの中から、予め決められた文字列を含むテキストデータを選択（検索）することにより、本文の開始部分を推定する。しかしながら、Ｗｅｂページは、日々刻々と変わるニュースやＢｌｏｇ（ブログ）・掲示板のような記事を表している場合が多い。このような場合、文字列を予め決めることは困難である。
【０００７】
利用者が必要とするテキストデータを自動的に取得することが望まれる。
【０００８】
上記に関連する技術を紹介する。
【０００９】
特開２００２−３４２２１２号公報に情報アクセス方法が記載されている（特許文献１）。この情報アクセス方法は、ウェブページ内のリンクまたはリンクリストを指定するステップと、前記リンクまたはリンクリストで指定されたリンク先ページを取得するステップと、前記リンク先ページのコンテンツの全部または一部を前記ウェブページの前記リンク箇所に挿入するステップと、前記リンク先ページのコンテンツが挿入された前記ウェブページのコンテンツの全部または一部を音声出力するステップと、を含んでいる。これにより、ウェブページの構造を音声で聞き取りやすい内容に変換するとともに、ナビゲーションなしでラジオのようにウェブ情報にアクセスする。
【００１０】
特開２００２−３３４０９０号公報に情報自動識別装置が記載されている（特許文献２）。この情報自動識別装置は、動的にホームページの内容を変更して情報を提供する情報提供システムに用いられる装置である。情報自動識別装置は、前記ホームページの情報を収集し、当該収集されたホームページの情報を同一の提供者毎に分別し保存する手段と、前記分別が行なわれたホームページの情報の中から共通する文字列を抽出して動的に作成されている情報を特定する手段と、前記特定された情報を保存する手段と、を備えたことを特徴としている。これにより、動的にホームページの内容を変更して情報を提供するシステムの検索精度を向上させると共に利用者の負担軽減をはかる。
【００１１】
特開２００４−３５５１５７号公報にウェブ対応電子機器装置が記載されている（特許文献３）。このウェブ対応電子機器装置は、ウェブページ取得手段と、ウェブページ再構築手段とを具備することを特徴としている。前記ウェブページ取得手段は、少なくとも見出しとこの見出しに関連する本文を含む第１のウェブページを取得する。前記ウェブページ再構築手段は、前記ウェブページ取得手段により取得された前記第１のウェブページから前記本文を抽出して、この本文を含む第２のウェブページを作成するとともに、前記第１のウェブページから前記見出しを抽出し、この見出しを含み、かつ前記第２のウェブページへのリンクが設けられた第３のウェブページを作成する。これにより、ネットワークを通じて取得したウェブページを、低解像度の表示環境での閲覧に適したウェブページに再構築して表示させる。
【００１２】
特許第３７０３０８０号公報に、ウェブコンテンツを簡略化するための方法が記載されている（特許文献４）。このウェブコンテンツを簡略化するための方法は、コンピュータシステムが、簡略化対象の目的ページを取得するステップと、前記コンピュータシステムが、前記目的ページに隣接する隣接ページを取得するステップと、前記コンピュータシステムが、前記目的ページと前記隣接ページとで共通するオブジェクトを前記目的ページから削除する差分演算を施し、簡略化ページを生成するステップと、を含んでいる。前記隣接ページは、前記目的ページのＵＲＬまたは前記目的ページに含まれるリンクのＵＲＬとディレクトリが共通するＵＲＬのページ、または、前記目的ページのＵＲＬまたは前記目的ページに含まれるリンクのＵＲＬと親ディレクトリが共通するＵＲＬのページ、または、前記目的ページのＵＲＬを含むルートディレクトリ以下の各ディレクトリのトップページ、である。
【００１３】
【特許文献１】特開２００２−３４２２１２号公報（請求項１）
【特許文献２】特開２００２−３３４０９０号公報（請求項１）
【特許文献３】特開２００４−３５５１５７号公報（請求項１）
【特許文献４】特許第３７０３０８０号公報（請求項１）
【発明の開示】
【発明が解決しようとする課題】
【００１４】
本発明の課題は、利用者が必要とするテキストデータを自動的に取得することができるＷｅｂページ文章自動検出装置を提供することにある。
本発明の他の課題は、利用者が必要とするテキストデータを自身で選択することなく、最新のテキストデータの読み上げを聞くことができるＷｅｂページ文章自動検出装置を提供することにある。
本発明の他の課題は、利用者が必要とするテキストデータを自身で選択することなく、最新のテキストデータを見ることができるＷｅｂページ文章自動検出装置を提供することにある。
本発明の更に他の課題は、目や手が不自由な利用者でも簡単に利用することができるＷｅｂページ文章自動検出装置を提供することにある。
【課題を解決するための手段】
【００１５】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１６】
本発明のＷｅｂページ文章自動検出装置（２）は、コンピュータであり、コンピュータプログラム（２０）が格納された記憶装置（１２）と、制御装置（１０）とを具備している。
前記コンピュータプログラム（２０）は、取得部（２１）と、選択部（２２）と、出力制御部（２４）とを具備し、前記制御装置（１０）は、それらを実行する。
前記取得部（２１）は、ネットワーク（１００）上に公開されたＷｅｂページ（６０）（７０）を取得する。
前記Ｗｅｂページ（６０）（７０）は、その複数の領域のそれぞれに作成された複数のＷｅｂデータ（６０−１〜６０−２４）（７０−１〜７０−１２）を含んでいる。
前記選択部（２２）は、前記複数のＷｅｂデータ（６０−１〜６０−２４）（７０−１〜７０−１２）の中から、テキストデータであり、且つ、文章のみを表すテキスト文章Ｗｅｂデータ（６０−１６）（７０−１１）を選択する。
前記出力制御部（２４）は、前記テキスト文章Ｗｅｂデータ（６０−１６）（７０−１１）を出力装置（８）に出力する。
【００１７】
Ｗｅｂデータは、日々刻々と変わるニュースやＢｌｏｇ・掲示板のような記事を表している場合が多い。そのような記事は、Ｗｅｂページ（６０）（７０）内で文章として表される。そこで、本発明のＷｅｂページ文章自動検出装置（２）によれば、選択部（２２）は、Ｗｅｂページ（６０）（７０）に含まれる複数のＷｅｂデータ（６０−１〜６０−２４）（７０−１〜７０−１２）の中から、テキストデータであり、且つ、文章のみを表すテキスト文章Ｗｅｂデータ（６０−１６）（７０−１１）を選択する。
これにより、本発明のＷｅｂページ文章自動検出装置（２）によれば、上記のＷｅｂページ（６０）（７０）が与えられたとき、利用者が必要とするテキストデータとしてテキスト文章Ｗｅｂデータを自動的に取得することができる。
【００１８】
本発明の第１の観点によるＷｅｂページ文章自動検出装置（２）では、前記選択部（２２）は、記事候補選択部（３１）と、記事文章候補選択部（３２）とを具備している。前記記事候補選択部（３１）、前記記事文章候補選択部（３２）は、以下に示す記事文章取得処理を実行する。
前記記事候補選択部（３１）は、前記Ｗｅｂページ（６０）に含まれる前記複数のＷｅｂデータ（６０−１〜６０−２４）の中から、前記テキストデータである記事候補Ｗｅｂデータ（６０−２、６０−３、６０−８、６０−１０〜６０−２０、６０−２２〜６０−２４）を選択する。
前記記事文章候補選択部（３２）は、前記記事候補Ｗｅｂデータ（６０−２、６０−３、６０−８、６０−１０〜６０−２０、６０−２２〜６０−２４）の中から、前記テキストデータに句点が使用されている記事文章候補Ｗｅｂデータ（６０−１５、６０−１６、６０−２４）を前記テキスト文章Ｗｅｂデータとして選択する。
【００１９】
例えば利用者はＷｅｂページ（６０）内の文章を聞き取りたい場合、テキストデータでなければ、その文章を音声合成装置（５）により読み上げることができない。例えば利用者はＷｅｂページ（６０）内の文章の中で未だ見ていない文章のみを見たい場合、テキストデータでなければ、その文章を表示装置（６）や印刷装置（７）により選択的に見ることができない。そこで、本発明の第１の観点によるＷｅｂページ文章自動検出装置（２）によれば、選択部（２２）の記事候補選択部（３１）は、Ｗｅｂページ（６０）に含まれる複数のＷｅｂデータ（６０−１〜６０−２４）の中から、テキストデータではないＷｅｂデータを除外した記事候補Ｗｅｂデータ（６０−２、６０−３、６０−８、６０−１０〜６０−２０、６０−２２〜６０−２４）を選択する。
テキストデータに句点「。」が用いられている場合、そのテキストデータは、文章を表している。テキストデータに句点「。」が用いられていない場合、そのテキストデータは、見出し、一覧、宣伝、広告のような文や、ナビゲーションバー等のリンクを表している。そこで、本発明の第１の観点によるＷｅｂページ文章自動検出装置（２）によれば、選択部（２２）の記事文章候補選択部（３２）は、Ｗｅｂページ（６０）に含まれる記事候補Ｗｅｂデータ（６０−２、６０−３、６０−８、６０−１０〜６０−２０、６０−２２〜６０−２４）の中から、文章を表していないＷｅｂデータを除外した記事文章候補Ｗｅｂデータ（６０−１５、６０−１６、６０−２４）をテキスト文章Ｗｅｂデータとして選択する。
これにより、本発明の第１の観点によるＷｅｂページ文章自動検出装置（２）によれば、上記のＷｅｂページ（６０）が与えられたとき、利用者が必要とするテキストデータとしてテキスト文章Ｗｅｂデータを自動的に取得することができる。
【００２０】
本発明の第１の観点によるＷｅｂページ文章自動検出装置（２）において、前記選択部（２２）は、更に、記事文章選択部（３３）を具備している。前記記事文章選択部（３３）は、以下に示す記事文章取得処理を実行する。
前記記事文章選択部（３３）は、前記記事文章候補Ｗｅｂデータ（６０−１５、６０−１６、６０−２４）の各々において、前記テキストデータに使用される文字のサイズのうちの、最も使用頻度が高いサイズを決定する。前記記事文章選択部（３３）は、前記記事文章候補Ｗｅｂデータ（６０−１５、６０−１６、６０−２４）の中から、前記決定されたサイズが最も大きい記事文章Ｗｅｂデータ（６０−１６）を前記テキスト文章Ｗｅｂデータとして選択する。
【００２１】
上記のＷｅｂページ（６０）内の文章は、ニュースのような記事の他に、画像（図）を説明する説明文である場合が考えられる。他にも、句点「。」が用いられているコピーライトである場合も考えられる。例えば画像の説明文が音声合成装置（５）により読み上げられても、利用者は画像を見なければ理解しにくいときがある。例えばコピーライトが音声合成装置（５）により読み上げられても、利用者は理解できない。そこで、本発明の第１の観点によるＷｅｂページ文章自動検出装置（２）によれば、選択部（２２）の記事文章選択部（３３）は、Ｗｅｂページ（６０）に含まれる記事文章候補Ｗｅｂデータ（６０−１５、６０−１６、６０−２４）の中から、画像の説明文やコピーライトを表すＷｅｂデータを除外した記事文章Ｗｅｂデータ（６０−１６）を前記テキスト文章Ｗｅｂデータとして選択する。
これにより、本発明の第１の観点によるＷｅｂページ文章自動検出装置（２）によれば、上記のＷｅｂページ（６０）が与えられたとき、利用者が必要とするテキストデータとしてテキスト文章Ｗｅｂデータを自動的に取得することができる。
【００２２】
本発明の第２の観点によるＷｅｂページ文章自動検出装置（２）では、前記文章は、Ｂｌｏｇ・掲示板に書き込まれた内容を表している。
前記選択部（２２）は、書込候補選択部（４１）と、書込文章候補選択部（４２）とを具備している。前記書込候補選択部（４１）、前記書込文章候補選択部（４２）は、以下に示す書込文章取得処理を実行する。
前記書込候補選択部（４１）は、前記Ｗｅｂページ（７０）に含まれる前記複数のＷｅｂデータ（７０−１〜７０−１２）の中から、前記テキストデータである書込候補Ｗｅｂデータ（７０−１〜７０−３、７０−８〜７０−１２）を選択する。
前記書込文章候補選択部（４２）は、前記書込候補Ｗｅｂデータ（７０−１〜７０−３、７０−８〜７０−１２）の中から、画像、記号、リンク、予め決められた除外用語句の少なくとも１つを表すＷｅｂデータ（７０−１、７０−２、７０−９、７０−１０、７０−１２）以外の書込文章候補Ｗｅｂデータ（７０−３、７０−８、７０−１１）を前記テキスト文章Ｗｅｂデータとして選択する。
【００２３】
例えば利用者はＷｅｂページ（７０）内の文章を聞き取りたい場合、テキストデータでなければ、その文章を音声合成装置（５）により読み上げることができない。例えば利用者はＷｅｂページ（７０）内の文章の中で未だ見ていない文章のみを見たい場合、テキストデータでなければ、その文章を表示装置（６）や印刷装置（７）により選択的に見ることができない。そこで、本発明の第２の観点によるＷｅｂページ文章自動検出装置（２）によれば、選択部（２２）の書込候補選択部（４１）は、Ｗｅｂページ（７０）に含まれる複数のＷｅｂデータ（７０−１〜７０−１２）の中から、テキストデータではないＷｅｂデータを除外した書込候補Ｗｅｂデータ（７０−１〜７０−３、７０−８〜７０−１２）を選択する。
テキストデータが、例えば、記号のみ、リンクのみ、画像と記号、画像とリンク、記号とリンク、画像と記号とリンクを表している場合、そのテキストデータは、Ｂｌｏｇ・掲示板に書き込まれた内容を表していない。また、上記のＷｅｂページ（７０）内の文章は、Ｂｌｏｇ・掲示板に書き込まれた内容の他に、Ｗｅｂページ（７０）の取り扱いにおける注意や警告を説明する取扱説明文である場合や、Ｗｅｂページ（７０）のタイトルやコピーライト等の固定された語句を表す固定文である場合が考えられる。この場合、その取扱説明文や固定文は、Ｂｌｏｇ・掲示板に書き込まれた最新の内容を表していない。そこで、本発明の第２の観点によるＷｅｂページ文章自動検出装置（２）によれば、選択部（２２）の書込文章候補選択部（４２）は、Ｗｅｂページ（７０）に含まれる書込候補Ｗｅｂデータ（７０−１〜７０−３、７０−８〜７０−１２）の中から、広告等の画像、記号、ナビゲーションバー等のリンク、その取扱説明文や固定文等の除外用語句の少なくとも１つを表すＷｅｂデータを除外した書込文章候補Ｗｅｂデータ（７０−３、７０−８、７０−１１）を書込文章候補Ｗｅｂデータとして選択する。
これにより、本発明の第２の観点によるＷｅｂページ文章自動検出装置（２）によれば、上記のＷｅｂページ（７０）が与えられたとき、利用者が必要とするテキストデータとしてテキスト文章Ｗｅｂデータを自動的に取得することができる。
【００２４】
本発明の第２の観点によるＷｅｂページ文章自動検出装置（２）において、前記選択部（２２）は、更に、書込文章選択部（４３）を具備している。前記書込文章選択部（４３）は、以下に示す書込文章取得処理を実行する。
前記書込文章選択部（４３）は、前記Ｗｅｂページ（７０）が表示されるときの表示幅（Ｘ）に対して、前記書込文章候補Ｗｅｂデータ（７０−３、７０−８、７０−１１）が作成された領域の幅（Ｘ１、Ｘ２、Ｘ３）を認識する。前記書込文章選択部（４３）は、前記書込文章候補Ｗｅｂデータ（７０−３、７０−８、７０−１１）の中から、前記幅が最も広い書込文章Ｗｅｂデータ（７０−１１）を前記テキスト文章Ｗｅｂデータとして選択する。
【００２５】
Ｂｌｏｇ・掲示板としてＷｅｂページ（７０）を作成するときのフォーマットでは、Ｂｌｏｇ・掲示板の内容を多く書き込めるように、Ｗｅｂページ（７０）が表示装置（６）に表示されるときの表示幅｛Ｘ（ピクセル）｝に対して、Ｂｌｏｇ・掲示板の内容を書き込む領域の幅が他の領域の幅よりも広く設定されている。そこで、本発明の第２の観点によるＷｅｂページ文章自動検出装置（２）によれば、選択部（２２）の書込文章選択部（４３）は、Ｗｅｂページ（７０）に含まれる書込文章候補Ｗｅｂデータ（７０−３、７０−８、７０−１１）の中から、他の領域よりも広く設定されている領域を表すＷｅｂデータだけを選択する。例えば、上記の表示幅Ｘ（ピクセル）に対して、書込文章候補Ｗｅｂデータ７０−３、７０−８、７０−１１が作成された領域の幅がそれぞれＸ１（ピクセル）、Ｘ２（ピクセル）、Ｘ３（ピクセル）であり、幅Ｘ３（ピクセル）は、幅Ｘ１（ピクセル）、Ｘ２（ピクセル）よりも広い。この場合、書込文章選択部（４３）は、書込文章候補Ｗｅｂデータ（７０−３、７０−８、７０−１１）の中から、それが作成された領域の幅が最も広いＷｅｂデータ（７０−１１）を書込文章Ｗｅｂデータとして選択する。
これにより、本発明の第２の観点によるＷｅｂページ文章自動検出装置（２）によれば、上記のＷｅｂページ（７０）が与えられたとき、利用者が必要とするテキストデータとしてテキスト文章Ｗｅｂデータを自動的に取得することができる。
【００２６】
本発明の第３の観点によるＷｅｂページ文章自動検出装置（２）では、前記選択部（２２）は、記事候補選択部（３１）と、記事文章候補選択部（３２）と、書込候補選択部（４１）と、書込文章候補選択部（４２）とを具備している。
前記記事候補選択部（３１）と前記記事文章候補選択部（３２）は、記事文章取得命令（６５）に応じて、上記の記事文章取得処理を実行する。
前記書込候補選択部（４１）と前記書込文章候補選択部（４２）は、書込文章取得命令（７５）に応じて、上記の書込文章取得処理を実行する。
【００２７】
本発明の第３の観点によるＷｅｂページ文章自動検出装置（２）において、前記選択部（２２）は、記事文章選択部（３３）と、書込文章選択部（４３）とを具備している。
前記記事文章選択部（３３）は、前記記事文章取得命令（６５）に応じて、上記の記事文章取得処理を実行する。
前記書込文章選択部（４３）は、前記書込文章取得命令（７５）に応じて、上記の書込文章取得処理を実行する。
【００２８】
本発明の第１、第２の観点によるＷｅｂページ文章自動検出装置（２）は、更に、文章検出データベース（２５）を具備している。
前記文章検出データベース（２５）には、前記Ｗｅｂページ（６０）（７０）を前記取得部（２１）が取得するときに用いるアドレス（６３）（７３）と、登録済みの文章を表す登録済Ｗｅｂデータ（６１）（７１）とが登録されている。
前記コンピュータプログラム（２０）は、更に、登録部（２３）を具備し、前記制御装置（１０）は、それを更に実行する。
前記登録部（２３）は、前記テキスト文章Ｗｅｂデータ（６０−１６）（７０−１１）と、前記登録済Ｗｅｂデータ（６１）（７１）とが一致しないとき、前記テキスト文章Ｗｅｂデータ（６０−１６）（７０−１１）を前記登録済Ｗｅｂデータ（６１）（７１）として前記文章検出データベース（２５）に登録する。
【００２９】
本発明の第１、第２の観点によるＷｅｂページ文章自動検出装置（２）によれば、登録部（２３）は、テキスト文章Ｗｅｂデータ（６０−１６）（７０−１１）と、登録済Ｗｅｂデータ（６１）（７１）とが一致しないとき、テキスト文章Ｗｅｂデータ（６０−１６）（７０−１１）を最新のテキストデータとして文章検出データベース（２５）に登録することが好ましい。
【００３０】
本発明の第３の観点によるＷｅｂページ文章自動検出装置（２）は、更に、文章検出データベース（２５）を具備している。
前記文章検出データベース（２５）には、前記取得部（２１）が前記Ｗｅｂページ（６０）（７０）を取得するときに用いるアドレス（６３）（７３）と、前記選択部（２２）が前記記事文章取得命令（６５）又は前記書込文章取得命令（７５）を実行するための命令と、登録済みの文章を表す登録済Ｗｅｂデータ（６１）（７１）とが登録されている。
前記コンピュータプログラム（２０）は、更に、登録部（２３）を具備し、前記制御装置（１０）は、それを更に実行する。
前記登録部（２３）は、前記テキスト文章Ｗｅｂデータ（６０−１６）（７０−１１）と、前記登録済Ｗｅｂデータ（６１）（７１）とが一致しないとき、前記テキスト文章Ｗｅｂデータ（６０−１６）（７０−１１）を前記登録済Ｗｅｂデータ（６１）（７１）として前記文章検出データベース（２５）に登録する。
【００３１】
本発明の第３の観点によるＷｅｂページ文章自動検出装置（２）によれば、第１の観点と第２の観点とが選択的に実施されることが好ましい。取得部（２１）がアドレス（６３）によりＷｅｂページ（６０）を取得したときに、アドレス（６３）に対応する命令として記事文章取得命令（６５）が文章検出データベース（２５）に登録されている場合、選択部（２２）は、Ｗｅｂページ（６０）に対して、第１の観点における記事文章取得処理を実行することが好ましい。取得部（２１）がアドレス（７３）によりＷｅｂページ（７０）を取得したときに、アドレス（７３）に対応する命令として書込文章取得命令（７５）が文章検出データベース（２５）に登録されている場合、選択部（２２）は、Ｗｅｂページ（７０）に対して、第２の観点における書込文章取得処理を実行することが好ましい。
【００３２】
本発明の第１〜第３の観点によるＷｅｂページ文章自動検出装置（２）において、前記出力装置（８）は、音声合成装置（５）を含んでいる。
前記音声合成装置（５）は、複数の語句を複数の読みに対応付ける辞書データベース（５５）と、音声合成エンジン（５１）とを具備している。
前記音声合成エンジン（５１）は、前記辞書データベース（５５）を参照して、語句群を表す読み上げ用テキストデータから読み群を生成し、前記読み群を音声に変換し、前記音声をスピーカ（５６）から出力する。
前記出力制御部（２４）は、前記テキスト文章Ｗｅｂデータ（６０−１６）（７０−１１）と、前記登録済Ｗｅｂデータ（６１）（７１）とが一致しないとき、前記テキスト文章Ｗｅｂデータ（６０−１６）（７０−１１）を前記読み上げ用テキストデータとして前記音声合成装置（５）に出力する。
【００３３】
本発明の第１〜第３の観点によるＷｅｂページ文章自動検出装置（２）によれば、出力制御部（２４）は、テキスト文章Ｗｅｂデータ（６０−１６）（７０−１１）と、登録済Ｗｅｂデータ（６１）（７１）とが一致しないとき、テキスト文章Ｗｅｂデータ（６０−１６）（７０−１１）を最新のテキストデータとして音声合成装置（５）に出力することが好ましい。このとき、最新のテキストデータが音声合成装置（５）により読み上げられる。これにより、本発明の第１〜第３の観点によるＷｅｂページ文章自動検出装置（２）によれば、利用者は、必要とするテキストデータを自身で選択することなく、最新のテキストデータの読み上げを聞くことができる。また、目や手が不自由な利用者でも簡単に利用することができる。
【００３４】
本発明の第１〜第３の観点によるＷｅｂページ文章自動検出装置（２）において、前記出力装置（８）は、表示装置（６）を含んでいる。
前記出力制御部（２４）は、前記テキスト文章Ｗｅｂデータ（６０−１６）（７０−１１）と、前記登録済Ｗｅｂデータ（６１）（７１）とが一致しないとき、前記テキスト文章Ｗｅｂデータ（６０−１６）（７０−１１）が表す前記文章を前記表示装置（６）に表示する。
【００３５】
本発明の第１〜第３の観点によるＷｅｂページ文章自動検出装置（２）によれば、出力制御部（２４）は、テキスト文章Ｗｅｂデータ（６０−１６）（７０−１１）と、登録済Ｗｅｂデータ（６１）（７１）とが一致しないとき、テキスト文章Ｗｅｂデータ（６０−１６）（７０−１１）を最新のテキストデータとして表示装置（６）に出力することが好ましい。このとき、最新のテキストデータが表示装置（６）に表示される。これにより、本発明の第１〜第３の観点によるＷｅｂページ文章自動検出装置（２）によれば、利用者は、必要とするテキストデータを自身で選択することなく、最新のテキストデータを見ることができる。また、手が不自由な利用者でも簡単に利用することができる。
【００３６】
本発明の第１〜第３の観点によるＷｅｂページ文章自動検出装置（２）において、前記出力装置（８）は、印刷装置（７）を含んでいる。
前記出力制御部（２４）は、前記テキスト文章Ｗｅｂデータ（６０−１６）（７０−１１）と、前記登録済Ｗｅｂデータ（６１）（７１）とが一致しないとき、前記テキスト文章Ｗｅｂデータ（６０−１６）（７０−１１）が表す前記文章を前記印刷装置（７）により印刷する。
【００３７】
本発明の第１〜第３の観点によるＷｅｂページ文章自動検出装置（２）によれば、出力制御部（２４）は、テキスト文章Ｗｅｂデータ（６０−１６）（７０−１１）と、登録済Ｗｅｂデータ（６１）（７１）とが一致しないとき、テキスト文章Ｗｅｂデータ（６０−１６）（７０−１１）を最新のテキストデータとして印刷装置（７）に出力することが好ましい。このとき、最新のテキストデータが印刷装置（７）により紙面で印刷される。これにより、本発明の第１〜第３の観点によるＷｅｂページ文章自動検出装置（２）によれば、利用者は、必要とするテキストデータを自身で選択することなく、最新のテキストデータを見ることができる。また、手が不自由な利用者でも簡単に利用することができる。
【００３８】
本発明の第１〜第３の観点によるＷｅｂページ文章自動検出装置（２）において、前記出力制御部（２４）は、前記テキスト文章Ｗｅｂデータ（６０−１６）（７０−１１）と、前記登録済Ｗｅｂデータ（６１）（７１）とが一致しないとき、前記テキスト文章Ｗｅｂデータ（６０−１６）（７０−１１）が表す文章のうちの、前記登録済Ｗｅｂデータ（６１）（７１）が表す前記登録済みの文章以外の文章を選択する。前記出力制御部（２４）は、前記選択された文章を前記出力装置（８）に出力する。
【００３９】
本発明の第１〜第３の観点によるＷｅｂページ文章自動検出装置（２）によれば、選択された文章が音声合成装置（５）により読み上げられ、利用者は、テキスト文章Ｗｅｂデータ（６０−１６）（７０−１１）が表す文章のうちの、既に聞いた文章を再度聞く必要がなく、未だ聞いていない文章として上記選択された文章だけを聞くことができる。
選択された文章が表示装置（６）に表示される。あるいは、選択された文章が印刷装置（７）により印刷される。これにより、利用者は、テキスト文章Ｗｅｂデータ（６０−１６）（７０−１１）が表す文章のうちの、既に見た文章を再度見る必要がなく、未だ見ていない文章として上記選択された文章だけを見ることができる。
【００４０】
本発明のＷｅｂページ文章自動検出システムは、上記のＷｅｂページ文章自動検出装置（２）と、上記の出力装置（８）とを具備している。
【００４１】
本発明のＷｅｂページ文章自動検出方法は、上記のＷｅｂページ文章自動検出装置（２）であるコンピュータを用いる。そのコンピュータには、上記のコンピュータプログラム（２０）が備えられている。この場合、本発明のＷｅｂページ文章自動検出方法は、上記のコンピュータプログラム（２０）により実現される。
【発明の効果】
【００４２】
以上により、本発明は、利用者が必要とするテキストデータを自動的に取得することができる。
本発明は、利用者が必要とするテキストデータを自身で選択することなく、最新のテキストデータの読み上げを聞くことができる。
本発明は、利用者が必要とするテキストデータを自身で選択することなく、最新のテキストデータを見ることができる。
本発明は、目や手が不自由な利用者でも簡単に利用することができる。
【発明を実施するための最良の形態】
【００４３】
以下に添付図面を参照して、本発明のＷｅｂページ文章自動検出装置について詳細に説明する。
【００４４】
（第１実施形態）
図１は、本発明の第１実施形態によるＷｅｂページ文章自動検出装置２が適用されるシステム（Ｗｅｂページ文章自動検出システム）の構成を示している。
Ｗｅｂページ本文自動検出システムは、コンピュータ１と、サーバ２００と、端末３００とを具備している。コンピュータ１とサーバ２００と端末３００は、ネットワーク１００に接続され、電子メールやインターネットを利用することができる。コンピュータ１とサーバ２００と端末３００は、インターネットの利用として、アドレス（ＵＲＬ）を用いて、Ｗｅｂページをネットワーク１００上に公開することもできる。
【００４５】
コンピュータ１は、Ｗｅｂページ文章自動検出装置２と、通信装置３と、入力装置４と、出力装置８とを具備している。Ｗｅｂページ文章自動検出装置２は、通信装置３と入力装置４と出力装置８とに接続されている。通信装置３は、ネットワーク１００に接続されている。出力装置８は、音声合成装置５、表示装置６、印刷装置７を含んでいる。
【００４６】
図２は、Ｗｅｂページ文章自動検出装置２の構成を示している。Ｗｅｂページ文章自動検出装置２は、制御装置１０と、記憶装置１２とを具備している。
制御装置１０は、ＣＰＵ（Ｃｅｎｔｒａｌ  Ｐｒｏｃｅｓｓｉｎｇ  Ｕｎｉｔ）１１を具備している。
記憶装置１２には、ＣＰＵ１１が実行するためのコンピュータプログラム２０と、文章検出データベース２５と、出力設定データベース２６とが格納されている。
【００４７】
Ｗｅｂページ文章自動検出装置２は、通常のコンピュータの機能を有している。コンピュータプログラム２０は、上記機能として、図示しない制御部を含んでいる。
利用者は、入力装置４を用いて、必要な事項を入力する。制御部は、入力された事項に基づいて、所定の処理を実行し、その実行結果を表示装置６に表示する。例えば、制御部は、ワープロ機能や表計算機能を有している。この場合、制御部は、ワープロ機能や表計算機能における処理を実行し、その実行結果を表示装置６に表示する。コンピュータ１と端末３００が携帯電話機であり（例えばコンピュータ１は上記の構成のうちの印刷装置７以外の構成）、制御部は、電話機能や電子メール機能を有している。この場合、制御部は、通信装置３を介して端末３００と通信して、電話機能や電子メール機能における処理を実行し、その実行結果を表示装置６に表示する。
【００４８】
Ｗｅｂページ文章自動検出装置２は、Ｗｅｂページ内の文章を自動的に検出する機能を有している。コンピュータプログラム２０は、上記機能として、取得部２１、選択部２２、登録部２３、出力制御部２４を含んでいる。
【００４９】
取得部２１は、利用者の入力装置４の操作により、アドレスを用いて、ネットワーク１００上に公開されたＷｅｂページを取得する。
例えば、Ｗｅｂページは、サーバ２００の所有者に作成される。サーバ２００の所有者は、ソースファイルにタグを用いることにより、文、文章、画像、記号、リンク等を示すデータをＨＴＭＬ（Ｈｙｐｅｒ  Ｔｅｘｔ  Ｍａｒｋｕｐ  Ｌａｎｇｕａｇｅ）形式、あるいはＸＭＬ（ｅＸｔｅｎｓｉｂｌｅ  Ｍａｒｋｕｐ  Ｌａｎｇｕａｇｅ）形式に変換してＷｅｂページを作成することができる。上記のＷｅｂページは、複数のＷｅｂデータを含んでいる。複数のＷｅｂデータは、Ｗｅｂページの複数の領域のそれぞれに作成されている。
【００５０】
選択部２２は、後述の記事文章取得処理を実行する記事候補選択部３１、記事文章候補選択部３２、記事文章選択部３３を含んでいる。選択部２２は、後述の記事文章取得処理を実行して、複数のＷｅｂデータの中から、テキストデータであり、且つ、文章のみを表すテキスト文章Ｗｅｂデータを選択する。
【００５１】
図３に示されるように、文章検出データベース２５には、アドレス６３と、登録済みの文章を表す登録済Ｗｅｂデータ６１とが登録される。登録部２３は、取得部２１がＷｅｂページを取得したときのアドレスをアドレス６３として文章検出データベース２５に登録する。登録部２３は、テキスト文章Ｗｅｂデータを登録済Ｗｅｂデータ６１としてアドレス６３に対応付けて文章検出データベース２５に登録する。即ち、テキスト文章Ｗｅｂデータが表す文章は、登録済みの文章として文章検出データベース２５に登録される。
【００５２】
図４に示されるように、出力設定データベース２６には、読み上げフラグ、表示フラグ、印刷フラグのうちの少なくとも１つのフラグが登録されている。
例えば、出力設定データベース２６には、読み上げフラグが予め登録されている。この場合、出力制御部２４は、読み上げフラグに従って、テキスト文章Ｗｅｂデータを音声合成装置５に出力する。このとき、テキスト文章Ｗｅｂデータが表す文章が音声合成装置５により読み上げられる。
例えば、出力設定データベース２６には、表示フラグが予め登録されている。この場合、出力制御部２４は、表示フラグに従って、テキスト文章Ｗｅｂデータを表示装置６に出力する。このとき、テキスト文章Ｗｅｂデータが表す文章が表示装置６に表示される。
例えば、出力設定データベース２６には、印刷フラグが予め登録されている。この場合、出力制御部２４は、印刷フラグに従って、テキスト文章Ｗｅｂデータを印刷装置７に出力する。このとき、テキスト文章Ｗｅｂデータが表す文章が印刷装置７により紙面に印刷される。
【００５３】
図５は、音声合成装置５の構成を示している。音声合成装置５は、コンピュータプログラムが格納された格納部（図示しない）と、コンピュータプログラムを実行する制御部（図示しない）と、スピーカ５６を具備している。格納部、制御部は、それぞれ上記の制御装置１０、記憶装置１２に内蔵されていてもよい。
コンピュータプログラムは、音声合成エンジン５１を含み、格納部には、辞書データベース５５が更に格納されている。
【００５４】
図６に示されるように、辞書データベース５５には、複数の単語が登録されている。複数の単語は、それぞれ、複数の語句と複数の読みと複数のアクセントとを含んでいる。
例えば、音声合成エンジン５１は、出力制御部２４からのテキスト文章Ｗｅｂデータである読み上げ用テキストデータを受け付ける。読み上げ用テキストデータは、語句群を表している。音声合成エンジン５１は、辞書データベース５５を参照して、読み上げ用テキストデータが表す語句群から読み群を生成する。また、音声合成エンジン５１は、辞書データベース５５を参照して、複数のアクセントのうちの、上記読み群に対応する発音用アクセントを決定する。音声合成エンジン５１は、読み群が表す読みを音声に変換し、上記の発音用アクセントを用いて、その音声をスピーカ５６から出力する。
【００５５】
Ｗｅｂデータは、日々刻々と変わるニュースのような記事を表している場合が多い。そのような記事は、Ｗｅｂページ内で文章として表される。そこで、本発明のＷｅｂページ文章自動検出装置２によれば、選択部２２は、Ｗｅｂページに含まれる複数のＷｅｂデータの中から、テキストデータであり、且つ、文章のみを表すテキスト文章Ｗｅｂデータを選択する。
これにより、本発明のＷｅｂページ文章自動検出装置２によれば、上記のＷｅｂページが与えられたとき、利用者が必要とするテキストデータとしてテキスト文章Ｗｅｂデータを自動的に取得することができる。
【００５６】
サーバ２００の所有者は、ソースファイルにタグを用いることにより、文、文章、画像、記号、リンク等を示すデータをＨＴＭＬ形式（あるいはＸＭＬ形式）に変換して、図１０に示されるようなＷｅｂページ６０を作成しているものとする。
Ｗｅｂページ６０内の文章は、ニュースのような記事を表している。文章とは、文と文との区切りに句点「。」が用いられる複数の文を表している。
Ｗｅｂページ６０は、例えば１番目から２４番目までの複数のＷｅｂデータ６０−１〜６０−２４を含んでいる。複数のＷｅｂデータ６０−１〜６０−２４は、Ｗｅｂページ６０の複数の領域のそれぞれに作成されている。複数のＷｅｂデータ６０−１〜６０−２４が１番目から２４番目までソースファイルに記載される順番は、ソースファイルに上記データ（文、文章、画像、記号、リンク）とタグが記載される順番により決定される。
【００５７】
図７は、本発明の第１実施形態によるＷｅｂページ文章自動検出装置２の動作（Ｗｅｂページ文章自動検出処理）を示すフローチャートである。
【００５８】
取得部２１は、利用者の入力装置４の操作により、アドレス６３を用いて、ネットワーク１００上に公開されたＷｅｂページ６０を取得する。または、取得部２１は、予め決められた時刻に、文章検出データベース２５に登録されたアドレス６３を用いて、ネットワーク１００上に公開されたＷｅｂページ６０を取得する（ステップＳ１）。このとき、取得部２１は、取得したＷｅｂページ６０を表示装置６に表示する。
【００５９】
選択部２２は、Ｗｅｂページ６０におけるソースファイルに記載されたタグにより、Ｗｅｂページ６０に含まれる複数のＷｅｂデータ６０−１〜６０−２４を認識する（ステップＳ２）。その後、選択部２２は、記事文章取得処理を実行する（ステップＳ３）。
【００６０】
図８は、記事文章取得処理（ステップＳ３）を示すフローチャートである。
【００６１】
例えば利用者はＷｅｂページ６０内の文章を聞き取りたい場合、テキストデータでなければ、その文章を音声合成装置５により読み上げることができない。例えば利用者はＷｅｂページ６０内の文章の中で未だ見ていない文章のみを見たい場合、テキストデータでなければ、その文章を表示装置６や印刷装置７により選択的に見ることができない。そこで、図１１に示されるように、選択部２２は、Ｗｅｂページ６０に含まれる複数のＷｅｂデータ６０−１〜６０−２４の中から、テキストデータではないＷｅｂデータを除外する必要がある。
この場合、選択部２２の記事候補選択部３１は、複数のＷｅｂデータ６０−１〜６０−２４の中から、テキストデータを表すＷｅｂデータ６０−２、６０−３、６０−８、６０−１０〜６０−２０、６０−２２〜６０−２４を記事候補Ｗｅｂデータとして選択する（ステップＳ１１）。この記事候補Ｗｅｂデータ６０−２、６０−３、６０−８、６０−１０〜６０−２０、６０−２２〜６０−２４は、テキストデータと、テキストデータを表示するためのタグとがソースファイルに記載されている。
【００６２】
テキストデータに句点「。」が用いられている場合、そのテキストデータは、文章を表している。テキストデータに句点「。」が用いられていない場合、そのテキストデータは、見出し、一覧、宣伝、広告のような文や、ナビゲーションバー等のリンクを表している。そこで、図１２に示されるように、選択部２２は、Ｗｅｂページ６０に含まれる記事候補Ｗｅｂデータ６０−２、６０−３、６０−８、６０−１０〜６０−２０、６０−２２〜６０−２４の中から、文章を表していないＷｅｂデータを除外する必要がある。
この場合、選択部２２の記事文章候補選択部３２は、記事候補Ｗｅｂデータ６０−２、６０−３、６０−８、６０−１０〜６０−２０、６０−２２〜６０−２４の中から、テキストデータに句点が使用されているＷｅｂデータ６０−１５、６０−１６、６０−２４を記事文章候補Ｗｅｂデータとして選択する（ステップＳ１２）。
【００６３】
上記のＷｅｂページ６０内の文章は、ニュースのような記事の他に、画像（図）を説明する説明文である場合が考えられる。他にも、句点「。」が用いられているコピーライトである場合も考えられる。例えば画像の説明文が音声合成装置５により読み上げられても、利用者は画像を見なければ理解しにくいときがある。例えばコピーライトが音声合成装置５により読み上げられても、利用者は理解できない。そこで、図１３に示されるように、選択部２２は、Ｗｅｂページ６０に含まれる記事文章候補Ｗｅｂデータ６０−１５、６０−１６、６０−２４の中から、画像の説明文やコピーライトを表すＷｅｂデータを除外する必要がある。
【００６４】
この場合、選択部２２の記事文章選択部３３は、まず、各記事文章候補Ｗｅｂデータ６０−１５、６０−１６、６０−２４において、テキストデータに使用されるフォント（文字）のサイズのうちの、最も使用頻度の高いサイズを決定する（ステップＳ１３）。
例えば、記事文章候補Ｗｅｂデータ６０−１５において、テキストデータに使用される文字数を３００文字とし、そのうちの２９０文字のサイズは“９（ポイント）”であり、残りの１０文字のサイズは“８（ポイント）”であるものとする。この場合、記事文章選択部３３は、最も使用頻度の高いサイズを決定サイズとして、“９（ポイント）”を選択する。
また、記事文章候補Ｗｅｂデータ６０−１６において、テキストデータに使用される文字数を３０００文字とし、そのうちの２７００文字のサイズは“１０（ポイント）”であり、残りの３０文字のサイズは“９（ポイント）”であるものとする。この場合、記事文章選択部３３は、最も使用頻度の高いサイズを決定サイズとして、“１０（ポイント）”を選択する。
また、記事文章候補Ｗｅｂデータ６０−２４において、テキストデータに使用される文字数を４００文字とし、そのうちの３００文字のサイズは“８（ポイント）”であり、残りの１００文字のサイズは“６（ポイント）”であるものとする。この場合、記事文章選択部３３は、最も使用頻度の高いサイズを決定サイズとして、“８（ポイント）”を選択する。
【００６５】
記事文章候補Ｗｅｂデータ６０−１６の決定サイズ“１０（ポイント）”は、記事文章候補Ｗｅｂデータ６０−１５の決定サイズ“９（ポイント）”、記事文章候補Ｗｅｂデータ６０−２４の決定サイズ“８（ポイント）”よりも大きい。記事文章選択部３３は、記事文章候補Ｗｅｂデータ６０−１５、６０−１６、６０−２４の中から、上記決定サイズが最も大きいＷｅｂデータ６０−１６を記事文章Ｗｅｂデータとして選択する（ステップＳ１４）。
その後、記事文章選択部３３は、この記事文章Ｗｅｂデータ６０−１６をテキスト文章Ｗｅｂデータとして登録部２３に出力し、記事文章取得処理（ステップＳ３）を終了する。上述のように、このテキスト文章Ｗｅｂデータ６０−１６は、テキストデータであり、且つ、文章のみを表すＷｅｂデータである。
【００６６】
テキスト文章Ｗｅｂデータは、複数存在する場合がある（ステップＳ４−ＹＥＳ）。例えば、テキスト文章Ｗｅｂデータ６０−１６がテキスト文章Ｗｅｂデータ６０−１６−１、６０−１６−２を含み、テキスト文章Ｗｅｂデータ６０−１６−１、６０−１６−２は、この順でソースファイルに記載されているものとする。記事文章選択部３３は、テキスト文章Ｗｅｂデータ６０−１６−１、６０−１６−２を登録部２３に出力した場合、登録部２３は、Ｗｅｂページ６０におけるソースファイルに記載された順番により、テキスト文章Ｗｅｂデータ６０−１６−１、６０−１６−２の順番を認識し、テキスト文章Ｗｅｂデータ６０−１６−１が表す文章と、テキスト文章Ｗｅｂデータ６０−１６−２が表す文章とをつなげて、テキスト文章Ｗｅｂデータ６０−１６を生成する（ステップＳ５）。
その後、登録部２３は、文章検出データベース２５を参照して、テキスト文章Ｗｅｂデータ６０−１６が文章検出データベース２５に登録されているか否かを調べる（ステップＳ６）。
【００６７】
テキスト文章Ｗｅｂデータは、１つだけ存在する場合がある（ステップＳ４−ＮＯ）。この場合、記事文章選択部３３がテキスト文章Ｗｅｂデータ６０−１６を登録部２３に出力したとき、登録部２３は、文章検出データベース２５を参照して、テキスト文章Ｗｅｂデータ６０−１６が文章検出データベース２５に登録されているか否かを調べる（ステップＳ６）。
【００６８】
テキスト文章Ｗｅｂデータ６０−１６が文章検出データベース２５に登録されていない。即ち、テキスト文章Ｗｅｂデータ６０−１６と、登録済Ｗｅｂデータ６１とが一致しない（ステップＳ６−ＹＥＳ）。
ここで、取得部２１がＷｅｂページ６０を取得したときのアドレス６３が文章検出データベース２５に登録されていない場合、登録部２３は、そのアドレス６３を文章検出データベース２５に登録する。次に、登録部２３は、テキスト文章Ｗｅｂデータ６０−１６を登録済Ｗｅｂデータ６１としてアドレス６３に対応付けて文章検出データベース２５に登録する（ステップＳ７）。即ち、テキスト文章Ｗｅｂデータ６０−１６が表す文章は、登録済みの文章として文章検出データベース２５に登録される。
また、取得部２１がＷｅｂページ６０を取得したときのアドレス６３が文章検出データベース２５に登録されている場合、登録部２３は、テキスト文章Ｗｅｂデータ６０−１６を登録済Ｗｅｂデータ６１としてアドレス６３に対応付けて文章検出データベース２５に登録する（ステップＳ７）。
その後、出力制御部２４は、出力処理を実行する（ステップＳ８）。
【００６９】
図９は、出力処理（ステップＳ８）を示すフローチャートである。
【００７０】
利用者は、Ｗｅｂページ６０内の文章を聞き取りたい場合、入力装置４を操作して、読み上げフラグを出力設定データベース２６に登録しておく（ステップＳ２１−ＹＥＳ）。この場合、出力制御部２４は、読み上げフラグに従って、テキスト文章Ｗｅｂデータ６０−１６を読み上げ用テキストデータとして音声合成装置５に出力する。音声合成装置５の音声合成エンジン５１は、辞書データベース５５を参照して、読み上げ用テキストデータを読み上げる。即ち、音声合成エンジン５１は、辞書データベース５５を参照して、読み上げ用テキストデータが表す語句群から読み群を生成して、複数のアクセントのうちの、上記読み群に対応する発音用アクセントを決定する。音声合成エンジン５１は、読み群が表す読みを音声に変換し、上記の発音用アクセントを用いて、その音声をスピーカ５６から出力する（ステップＳ２２）。
【００７１】
利用者は、Ｗｅｂページ６０内の文章の中で未だ見ていない文章のみを見たい場合、入力装置４を操作して、表示フラグを出力設定データベース２６に登録しておく（ステップＳ２３−ＹＥＳ）。この場合、出力制御部２４は、表示フラグに従って、テキスト文章Ｗｅｂデータ６０−１６を表示装置６に出力する。このとき、テキスト文章Ｗｅｂデータ６０−１６が表す文章が表示装置６に表示される（ステップＳ２４）。
【００７２】
利用者は、Ｗｅｂページ６０内の文章の中で未だ見ていない文章のみを見たい場合、入力装置４を操作して、印刷フラグを出力設定データベース２６に登録しておく（ステップＳ２５−ＹＥＳ）。この場合、出力制御部２４は、印刷フラグに従って、テキスト文章Ｗｅｂデータ６０−１６を印刷装置７に出力する。このとき、テキスト文章Ｗｅｂデータ６０−１６が表す文章が印刷装置７により紙面に印刷される（ステップＳ２６）。
【００７３】
上記のステップＳ２１、Ｓ２２と、ステップＳ２３、Ｓ２４と、ステップＳ２５、Ｓ２６は順不同である。本実施例では、出力設定データベース２６に読み上げフラグが登録されていない場合（ステップＳ２１−ＮＯ）、上記のステップＳ２３が実行される。出力設定データベース２６に表示フラグが登録されていない場合（ステップＳ２３−ＮＯ）、上記のステップＳ２５が実行される。出力設定データベース２６に印刷フラグが登録されていない場合（ステップＳ２５−ＮＯ）、Ｗｅｂページ文章自動検出処理を終了する。
【００７４】
テキスト文章Ｗｅｂデータ６０−１６が文章検出データベース２５に登録されている。即ち、テキスト文章Ｗｅｂデータ６０−１６と、登録済Ｗｅｂデータ６１とが一致する（ステップＳ６−ＮＯ）。この場合、Ｗｅｂページ６０内の文章が既に音声合成装置５により読み上げられ、利用者は既にＷｅｂページ６０内の文章を聞いている。あるいは、Ｗｅｂページ６０内の文章が既に表示装置６に表示されたり印刷装置７により印刷されることにより、利用者は既にＷｅｂページ６０内の文章を見ていたりしている。このため、Ｗｅｂページ文章自動検出処理を終了する。
また、利用者は、Ｗｅｂページ６０内の文章を音声合成装置５により再度聞き取りたい場合、入力装置４を操作して、ステップＳ２２を実行させる。
また、利用者は、Ｗｅｂページ６０内の文章を表示装置６により再度表示させたい場合、入力装置４を操作して、ステップＳ２４を実行させる。
また、利用者は、Ｗｅｂページ６０内の文章を印刷装置７により再度印刷させたい場合、入力装置４を操作して、ステップＳ２６を実行させる。
【００７５】
なお、テキスト文章Ｗｅｂデータ６０−１６と、登録済Ｗｅｂデータ６１とが一致しない場合（ステップＳ６−ＹＥＳ）、出力処理（ステップＳ８）において、出力制御部２４は、テキスト文章Ｗｅｂデータ６０−１６が表す文章のうちの、登録済Ｗｅｂデータ６１が表す登録済みの文章以外の文章を選択し、選択された文章を出力装置８に出力する。
この場合、ステップＳ２２において、選択された文章が音声合成装置５により読み上げられ、利用者は、テキスト文章Ｗｅｂデータ６０−１６が表す文章のうちの、既に聞いた文章を再度聞く必要がなく、未だ聞いていない文章として上記選択された文章だけを聞くことができる。
ステップＳ２４において、選択された文章が表示装置６に表示される。ステップＳ２６において、選択された文章が印刷装置７により印刷される。これにより、利用者は、テキスト文章Ｗｅｂデータ６０−１６が表す文章のうちの、既に見た文章を再度見る必要がなく、未だ見ていない文章として上記選択された文章だけを見ることができる。
【００７６】
ここで、本発明の第１実施形態によるＷｅｂページ文章自動検出装置２についての効果を述べる。
【００７７】
例えば利用者はＷｅｂページ６０内の文章を聞き取りたい場合、テキストデータでなければ、その文章を音声合成装置５により読み上げることができない。例えば利用者はＷｅｂページ６０内の文章の中で未だ見ていない文章のみを見たい場合、テキストデータでなければ、その文章を表示装置６や印刷装置７により選択的に見ることができない。そこで、本発明の第１実施形態によるＷｅｂページ文章自動検出装置２によれば、選択部２２の記事候補選択部３１は、Ｗｅｂページ６０に含まれる複数のＷｅｂデータ６０−１〜６０−２４の中から、テキストデータではないＷｅｂデータを除外した記事候補Ｗｅｂデータ６０−２、６０−３、６０−８、６０−１０〜６０−２０、６０−２２〜６０−２４を選択する。
テキストデータに句点「。」が用いられている場合、そのテキストデータは、文章を表している。テキストデータに句点「。」が用いられていない場合、そのテキストデータは、見出し、一覧、宣伝、広告のような文や、ナビゲーションバー等のリンクを表している。そこで、本発明の第１実施形態によるＷｅｂページ文章自動検出装置２によれば、選択部２２の記事文章候補選択部３２は、Ｗｅｂページ６０に含まれる記事候補Ｗｅｂデータ６０−２、６０−３、６０−８、６０−１０〜６０−２０、６０−２２〜６０−２４の中から、文章を表していないＷｅｂデータを除外した記事文章候補Ｗｅｂデータ６０−１５、６０−１６、６０−２４をテキスト文章Ｗｅｂデータとして選択する。
これにより、本発明の第１実施形態によるＷｅｂページ文章自動検出装置２によれば、上記のＷｅｂページ６０が与えられたとき、利用者が必要とするテキストデータとしてテキスト文章Ｗｅｂデータを自動的に取得することができる。
【００７８】
上記のＷｅｂページ６０内の文章は、ニュースのような記事の他に、画像（図）を説明する説明文である場合が考えられる。他にも、句点「。」が用いられているコピーライトである場合も考えられる。例えば画像の説明文が音声合成装置５により読み上げられても、利用者は画像を見なければ理解しにくいときがある。例えばコピーライトが音声合成装置５により読み上げられても、利用者は理解できない。そこで、本発明の第１実施形態によるＷｅｂページ文章自動検出装置２によれば、選択部２２の記事文章選択部３３は、Ｗｅｂページ６０に含まれる記事文章候補Ｗｅｂデータ６０−１５、６０−１６、６０−２４の中から、画像の説明文やコピーライトを表すＷｅｂデータを除外した記事文章Ｗｅｂデータ６０−１６を前記テキスト文章Ｗｅｂデータとして選択する。
これにより、本発明の第１実施形態によるＷｅｂページ文章自動検出装置２によれば、上記のＷｅｂページ６０が与えられたとき、利用者が必要とするテキストデータとしてテキスト文章Ｗｅｂデータを自動的に取得することができる。
【００７９】
本発明の第１実施形態によるＷｅｂページ文章自動検出装置２によれば、登録部２３は、テキスト文章Ｗｅｂデータ６０−１６と、登録済Ｗｅｂデータ６１とが一致しないとき、テキスト文章Ｗｅｂデータ６０−１６を最新のテキストデータとして文章検出データベース２５に登録することが好ましい。
【００８０】
本発明の第１実施形態によるＷｅｂページ文章自動検出装置２によれば、出力制御部２４は、テキスト文章Ｗｅｂデータ６０−１６と、登録済Ｗｅｂデータ６１とが一致しないとき、テキスト文章Ｗｅｂデータ６０−１６を最新のテキストデータとして音声合成装置５に出力することが好ましい。このとき、最新のテキストデータが音声合成装置５により読み上げられる。これにより、本発明の第１実施形態によるＷｅｂページ文章自動検出装置２によれば、利用者は、必要とするテキストデータを自身で選択することなく、最新のテキストデータの読み上げを聞くことができる。また、目や手が不自由な利用者でも簡単に利用することができる。
【００８１】
本発明の第１実施形態によるＷｅｂページ文章自動検出装置２によれば、出力制御部２４は、テキスト文章Ｗｅｂデータ６０−１６と、登録済Ｗｅｂデータ６１とが一致しないとき、テキスト文章Ｗｅｂデータ６０−１６を最新のテキストデータとして表示装置６に出力することが好ましい。このとき、最新のテキストデータが表示装置６に表示される。これにより、本発明の第１実施形態によるＷｅｂページ文章自動検出装置２によれば、利用者は、必要とするテキストデータを自身で選択することなく、最新のテキストデータを見ることができる。また、手が不自由な利用者でも簡単に利用することができる。
【００８２】
本発明の第１実施形態によるＷｅｂページ文章自動検出装置２によれば、出力制御部２４は、テキスト文章Ｗｅｂデータ６０−１６と、登録済Ｗｅｂデータ６１とが一致しないとき、テキスト文章Ｗｅｂデータ６０−１６を最新のテキストデータとして印刷装置７に出力することが好ましい。このとき、最新のテキストデータが印刷装置７により紙面で印刷される。これにより、本発明の第１実施形態によるＷｅｂページ文章自動検出装置２によれば、利用者は、必要とするテキストデータを自身で選択することなく、最新のテキストデータを見ることができる。また、手が不自由な利用者でも簡単に利用することができる。
【００８３】
（第２実施形態）
本発明の第２実施形態によるＷｅｂページ文章自動検出装置２について説明する。第２実施形態では、第１実施形態と異なる点のみ説明する。
【００８４】
図１４は、Ｗｅｂページ文章自動検出装置２の構成を示している。選択部２２は、前述の記事文章取得処理を実行する記事候補選択部３１、記事文章候補選択部３２、記事文章選択部３３に代えて、後述の書込文章取得処理を実行する書込候補選択部４１、書込文章候補選択部４２、書込文章選択部４３を含んでいる。選択部２２は、後述の書込文章取得処理を実行して、複数のＷｅｂデータの中から、テキストデータであり、且つ、文章のみを表すテキスト文章Ｗｅｂデータを選択する。
【００８５】
図１５に示されるように、文章検出データベース２５には、アドレス７３と、登録済みの文章を表す登録済Ｗｅｂデータ７１とが登録される。登録部２３は、取得部２１がＷｅｂページを取得したときのアドレスをアドレス７３として文章検出データベース２５に登録する。登録部２３は、テキスト文章Ｗｅｂデータを登録済Ｗｅｂデータ７１としてアドレス７３に対応付けて文章検出データベース２５に登録する。
【００８６】
Ｗｅｂデータは、日々刻々と変わるＢｌｏｇ・掲示板のような記事を表している場合が多い。そのような記事は、Ｗｅｂページ内で文章として表される。そこで、本発明のＷｅｂページ文章自動検出装置２によれば、選択部２２は、Ｗｅｂページに含まれる複数のＷｅｂデータの中から、テキストデータであり、且つ、文章のみを表すテキスト文章Ｗｅｂデータを選択する。
これにより、本発明のＷｅｂページ文章自動検出装置２によれば、上記のＷｅｂページが与えられたとき、利用者が必要とするテキストデータとしてテキスト文章Ｗｅｂデータを自動的に取得することができる。
【００８７】
端末３００の所有者は、ソースファイルにタグを用いることにより、文、文章、画像、記号、リンクを示すデータをＨＴＭＬ形式（あるいはＸＭＬ形式）に変換して、図１８に示されるようなフォーマットでＷｅｂページ７０を作成しているものとする。
Ｗｅｂページ７０内の文章は、Ｂｌｏｇ・掲示板に書き込まれた内容を表している。文章とは、文と文との間に句点「。」や改行が用いられる複数の文を表している。Ｂｌｏｇ・掲示板の場合、例えば改行が用いられる。
Ｗｅｂページ７０は、例えば１番目から１２番目までの複数のＷｅｂデータ７０−１〜７０−１２を含んでいる。複数のＷｅｂデータ７０−１〜７０−１２は、Ｗｅｂページ６０の複数の領域のそれぞれに作成されている。複数のＷｅｂデータ７０−１〜７０−１２が１番目から１２番目までソースファイルに記載される順番は、ソースファイルに上記データ（文、文章、画像、記号、リンク）とタグが記載される順番により決定される。
【００８８】
図１６は、本発明の第２実施形態によるＷｅｂページ文章自動検出装置２の動作（Ｗｅｂページ文章自動検出処理）を示すフローチャートである。
【００８９】
取得部２１は、利用者の入力装置４の操作により、アドレス７３を用いて、ネットワーク１００上に公開されたＷｅｂページ７０を取得する。または、取得部２１は、予め決められた時刻に、文章検出データベース２５に登録されたアドレス７３を用いて、ネットワーク１００上に公開されたＷｅｂページ７０を取得する（ステップＳ１）。このとき、取得部２１は、取得したＷｅｂページ７０を表示装置６に表示する。
【００９０】
選択部２２は、Ｗｅｂページ７０におけるソースファイルに記載されたタグにより、Ｗｅｂページ７０に含まれる複数のＷｅｂデータ７０−１〜７０−１２を認識する（ステップＳ２）。その後、選択部２２は、記事文章取得処理を実行する（ステップＳ３）。
【００９１】
図１７は、書込文章取得処理（ステップＳ３０）を示すフローチャートである。
【００９２】
例えば利用者はＷｅｂページ７０内の文章を聞き取りたい場合、テキストデータでなければ、その文章を音声合成装置５により読み上げることができない。例えば利用者はＷｅｂページ７０内の文章の中で未だ見ていない文章のみを見たい場合、テキストデータでなければ、その文章を表示装置６や印刷装置７により選択的に見ることができない。そこで、図１９に示されるように、選択部２２は、Ｗｅｂページ７０に含まれる複数のＷｅｂデータ７０−１〜７０−１２の中から、テキストデータではないＷｅｂデータを除外する必要がある。
この場合、選択部２２の書込候補選択部４１は、複数のＷｅｂデータ７０−１〜７０−１２の中から、テキストデータを表すＷｅｂデータ７０−１〜７０−３、７０−８〜７０−１２を書込候補Ｗｅｂデータとして選択する（ステップＳ３１）。この書込候補Ｗｅｂデータ７０−１〜７０−３、７０−８〜７０−１２は、テキストデータと、テキストデータを表示するためのタグとがソースファイルに記載されている。
【００９３】
テキストデータが、例えば、少なくとも１つ画像と記号、画像とリンク、記号とリンク、画像と記号とリンクを表している場合、そのテキストデータは、Ｂｌｏｇ・掲示板に書き込まれた内容を表していない。そこで、図２０に示されるように、選択部２２は、Ｗｅｂページ７０に含まれる書込候補Ｗｅｂデータ７０−１〜７０−３、７０−８〜７０−１２の中から、広告等の画像、記号、ナビゲーションバー等のリンクの少なくとも１つを表すＷｅｂデータを除外する必要がある。
また、上記のＷｅｂページ７０内の文章は、Ｂｌｏｇ・掲示板に書き込まれた内容の他に、Ｗｅｂページ７０の取り扱いにおける注意や警告を説明する取扱説明文である場合や、Ｗｅｂページ７０のタイトルやコピーライト等の固定された語句を表す固定文である場合が考えられる。その取扱説明文や固定文は、Ｂｌｏｇ・掲示板に書き込まれた最新の内容を表していない。そこで、図２０に示されるように、選択部２２は、Ｗｅｂページ７０に含まれる書込候補Ｗｅｂデータ７０−１〜７０−３、７０−８〜７０−１２の中から、その取扱説明文や固定文を表すＷｅｂデータを除外する必要がある。利用者は、入力装置４を操作して、取扱説明文や固定文を、予め決められた除外用語句（キーワード）として、出力設定データベース２６に登録しておく（図示しない）。
この場合、選択部２２の書込文章候補選択部４２は、書込候補Ｗｅｂデータ７０−１〜７０−３、７０−８〜７０−１２の中から、画像、記号、リンク、除外用語句の少なくとも１つを表すＷｅｂデータ７０−１、７０−２、７０−９、７０−１０、７０−１２以外の書込文章候補Ｗｅｂデータ７０−３、７０−８、７０−１１を選択する（ステップＳ３２）。
【００９４】
Ｂｌｏｇ・掲示板としてＷｅｂページ７０を作成するときのフォーマットでは、Ｂｌｏｇ・掲示板の内容を多く書き込めるように、Ｗｅｂページ７０が表示装置６に表示されるときの表示幅Ｘ（ピクセル）に対して、Ｂｌｏｇ・掲示板の内容を書き込む領域の幅が他の領域の幅よりも広く設定されている。そこで、図２１に示されるように、選択部２２は、Ｗｅｂページ７０に含まれる書込文章候補Ｗｅｂデータ７０−３、７０−８、７０−１１の中から、他の領域よりも広く設定されている領域を表すＷｅｂデータだけを選択する必要がある。
この場合、選択部２２の書込文章選択部４３は、上記の表示幅Ｘ（ピクセル）に対して、書込文章候補Ｗｅｂデータ７０−３、７０−８、７０−１１が作成された領域の幅Ｘ１（ピクセル）、Ｘ２（ピクセル）、Ｘ３（ピクセル）を認識する。幅Ｘ３（ピクセル）は、幅Ｘ１（ピクセル）、Ｘ２（ピクセル）よりも広い。書込文章選択部４３は、書込文章候補Ｗｅｂデータ７０−３、７０−８、７０−１１の中から、それが作成された領域の幅が最も広いＷｅｂデータ７０−１１を書込文章Ｗｅｂデータとして選択する（ステップＳ３３）。
その後、書込文章選択部４３は、この書込文章Ｗｅｂデータ７０−１１をテキスト文章Ｗｅｂデータとして登録部２３に出力し、書込文章取得処理（ステップＳ３０）を終了する。上述のように、このテキスト文章Ｗｅｂデータ７０−１１は、テキストデータであり、且つ、文章のみを表すＷｅｂデータである。
【００９５】
テキスト文章Ｗｅｂデータは、複数存在する場合がある（ステップＳ４−ＹＥＳ）。例えば、テキスト文章Ｗｅｂデータ７０−１１がテキスト文章Ｗｅｂデータ７０−１１−１、７０−１１−２を含み、テキスト文章Ｗｅｂデータ７０−１１−１、７０−１１−２は、この順でソースファイルに記載されているものとする。書込文章選択部４３は、テキスト文章Ｗｅｂデータ７０−１１−１、７０−１１−２を登録部２３に出力した場合、登録部２３は、Ｗｅｂページ７０におけるソースファイルに記載された順番により、テキスト文章Ｗｅｂデータ７０−１１−１、７０−１１−２の順番を認識し、テキスト文章Ｗｅｂデータ７０−１１−１が表す文章と、テキスト文章Ｗｅｂデータ７０−１１−２が表す文章とをつなげて、テキスト文章Ｗｅｂデータ７０−１１を生成する（ステップＳ５）。
その後、登録部２３は、文章検出データベース２５を参照して、テキスト文章Ｗｅｂデータ７０−１１が文章検出データベース２５に登録されているか否かを調べる（ステップＳ６）。
【００９６】
テキスト文章Ｗｅｂデータは、１つだけ存在する場合がある（ステップＳ４−ＮＯ）。この場合、書込文章選択部４３がテキスト文章Ｗｅｂデータ７０−１１を登録部２３に出力したとき、登録部２３は、文章検出データベース２５を参照して、テキスト文章Ｗｅｂデータ７０−１１が文章検出データベース２５に登録されているか否かを調べる（ステップＳ６）。
【００９７】
テキスト文章Ｗｅｂデータ７０−１１が文章検出データベース２５に登録されていない。即ち、テキスト文章Ｗｅｂデータ７０−１１と、登録済Ｗｅｂデータ７１とが一致しない（ステップＳ６−ＹＥＳ）。
ここで、取得部２１がＷｅｂページ７０を取得したときのアドレス７３が文章検出データベース２５に登録されていない場合、登録部２３は、そのアドレス７３を文章検出データベース２５に登録する。次に、登録部２３は、テキスト文章Ｗｅｂデータ７０−１１を登録済Ｗｅｂデータ７１としてアドレス７３に対応付けて文章検出データベース２５に登録する（ステップＳ７）。即ち、テキスト文章Ｗｅｂデータ７０−１１が表す文章は、登録済みの文章として文章検出データベース２５に登録される。
また、取得部２１がＷｅｂページ７０を取得したときのアドレス６３が文章検出データベース２５に登録されている場合、登録部２３は、テキスト文章Ｗｅｂデータ７０−１１を登録済Ｗｅｂデータ７１としてアドレス７３に対応付けて文章検出データベース２５に登録する（ステップＳ７）。
その後、出力制御部２４は、出力処理を実行する（ステップＳ８）。
【００９８】
利用者は、Ｗｅｂページ７０内の文章を聞き取りたい場合、入力装置４を操作して、読み上げフラグを出力設定データベース２６に登録しておく（ステップＳ２１−ＹＥＳ）。この場合、出力制御部２４は、読み上げフラグに従って、テキスト文章Ｗｅｂデータ７０−１１を読み上げ用テキストデータとして音声合成装置５に出力する。音声合成装置５の音声合成エンジン５１は、辞書データベース５５を参照して、読み上げ用テキストデータを読み上げる（ステップＳ２２）。
【００９９】
利用者は、Ｗｅｂページ７０内の文章の中で未だ見ていない文章のみを見たい場合、入力装置４を操作して、表示フラグを出力設定データベース２６に登録しておく（ステップＳ２３−ＹＥＳ）。この場合、出力制御部２４は、表示フラグに従って、テキスト文章Ｗｅｂデータ７０−１１を表示装置６に出力する。このとき、テキスト文章Ｗｅｂデータ７０−１１が表す文章が表示装置６に表示される（ステップＳ２４）。
【０１００】
利用者は、Ｗｅｂページ７０内の文章の中で未だ見ていない文章のみを見たい場合、入力装置４を操作して、印刷フラグを出力設定データベース２６に登録しておく（ステップＳ２５−ＹＥＳ）。この場合、出力制御部２４は、印刷フラグに従って、テキスト文章Ｗｅｂデータ７０−１１を印刷装置７に出力する。このとき、テキスト文章Ｗｅｂデータ７０−１１が表す文章が印刷装置７により紙面に印刷される（ステップＳ２６）。
【０１０１】
テキスト文章Ｗｅｂデータ７０−１１が文章検出データベース２５に登録されている。即ち、テキスト文章Ｗｅｂデータ７０−１１と、登録済Ｗｅｂデータ７１とが一致する（ステップＳ６−ＮＯ）。この場合、Ｗｅｂページ７０内の文章が既に音声合成装置５により読み上げられ、利用者は既にＷｅｂページ７０内の文章を聞いている。あるいは、Ｗｅｂページ７０内の文章が既に表示装置６に表示されたり印刷装置７により印刷されることにより、利用者は既にＷｅｂページ７０内の文章を見ていたりしている。このため、Ｗｅｂページ文章自動検出処理を終了する。
また、利用者は、Ｗｅｂページ７０内の文章を音声合成装置５により再度聞き取りたい場合、入力装置４を操作して、ステップＳ２２を実行させる。
また、利用者は、Ｗｅｂページ７０内の文章を表示装置６により再度表示させたい場合、入力装置４を操作して、ステップＳ２４を実行させる。
また、利用者は、Ｗｅｂページ７０内の文章を印刷装置７により再度印刷させたい場合、入力装置４を操作して、ステップＳ２６を実行させる。
【０１０２】
なお、テキスト文章Ｗｅｂデータ７０−１１と、登録済Ｗｅｂデータ７１とが一致しない場合（ステップＳ６−ＹＥＳ）、出力処理（ステップＳ８）において、出力制御部２４は、テキスト文章Ｗｅｂデータ７０−１１が表す文章のうちの、登録済Ｗｅｂデータ７１が表す登録済みの文章以外の文章を選択し、選択された文章を出力装置８に出力する。
この場合、ステップＳ２２において、選択された文章が音声合成装置５により読み上げられ、利用者は、テキスト文章Ｗｅｂデータ７０−１１が表す文章のうちの、既に聞いた文章を再度聞く必要がなく、未だ聞いていない文章として上記選択された文章だけを聞くことができる。
ステップＳ２４において、選択された文章が表示装置６に表示される。ステップＳ２６において、選択された文章が印刷装置７により印刷される。これにより、利用者は、テキスト文章Ｗｅｂデータ７０−１１が表す文章のうちの、既に見た文章を再度見る必要がなく、未だ見ていない文章として上記選択された文章だけを見ることができる。
【０１０３】
ここで、本発明の第２実施形態によるＷｅｂページ文章自動検出装置２についての効果を述べる。
【０１０４】
例えば利用者はＷｅｂページ７０内の文章を聞き取りたい場合、テキストデータでなければ、その文章を音声合成装置５により読み上げることができない。例えば利用者はＷｅｂページ７０内の文章の中で未だ見ていない文章のみを見たい場合、テキストデータでなければ、その文章を表示装置６や印刷装置７により選択的に見ることができない。そこで、本発明の第２実施形態によるＷｅｂページ文章自動検出装置２によれば、選択部２２の書込候補選択部４１は、Ｗｅｂページ７０に含まれる複数のＷｅｂデータ７０−１〜７０−１２の中から、テキストデータではないＷｅｂデータを除外した書込候補Ｗｅｂデータ７０−１〜７０−３、７０−８〜７０−１２を選択する。
テキストデータが、例えば、記号のみ、リンクのみ、画像と記号、画像とリンク、記号とリンク、画像と記号とリンクを表している場合、そのテキストデータは、Ｂｌｏｇ・掲示板に書き込まれた内容を表していない。また、上記のＷｅｂページ７０内の文章は、Ｂｌｏｇ・掲示板に書き込まれた内容の他に、Ｗｅｂページ７０の取り扱いにおける注意や警告を説明する取扱説明文である場合や、Ｗｅｂページ７０のタイトルやコピーライト等の固定された語句を表す固定文である場合が考えられる。この場合、その取扱説明文や固定文は、Ｂｌｏｇ・掲示板に書き込まれた最新の内容を表していない。そこで、本発明の第２実施形態によるＷｅｂページ文章自動検出装置２によれば、選択部２２の書込文章候補選択部４２は、Ｗｅｂページ７０に含まれる書込候補Ｗｅｂデータ７０−１〜７０−３、７０−８〜７０−１２の中から、広告等の画像、記号、ナビゲーションバー等のリンク、その取扱説明文や固定文等の除外用語句の少なくとも１つを表すＷｅｂデータを除外した書込文章候補Ｗｅｂデータ７０−３、７０−８、７０−１１を書込文章候補Ｗｅｂデータとして選択する。
これにより、本発明の第２実施形態によるＷｅｂページ文章自動検出装置２によれば、上記のＷｅｂページ７０が与えられたとき、利用者が必要とするテキストデータとしてテキスト文章Ｗｅｂデータを自動的に取得することができる。
【０１０５】
Ｂｌｏｇ・掲示板としてＷｅｂページ７０を作成するときのフォーマットでは、Ｂｌｏｇ・掲示板の内容を多く書き込めるように、Ｗｅｂページ７０が表示装置６に表示されるときの表示幅Ｘ（ピクセル）に対して、Ｂｌｏｇ・掲示板の内容を書き込む領域の幅が他の領域の幅よりも広く設定されている。そこで、本発明の第２実施形態によるＷｅｂページ文章自動検出装置２によれば、選択部２２の書込文章選択部４３は、Ｗｅｂページ７０に含まれる書込文章候補Ｗｅｂデータ７０−３、７０−８、７０−１１の中から、他の領域よりも広く設定されている領域を表すＷｅｂデータだけを選択する。例えば、上記の表示幅Ｘ（ピクセル）に対して、書込文章候補Ｗｅｂデータ７０−３、７０−８、７０−１１が作成された領域の幅がそれぞれＸ１（ピクセル）、Ｘ２（ピクセル）、Ｘ３（ピクセル）であり、幅Ｘ３（ピクセル）は、幅Ｘ１（ピクセル）、Ｘ２（ピクセル）よりも広い。この場合、書込文章選択部４３は、書込文章候補Ｗｅｂデータ７０−３、７０−８、７０−１１の中から、それが作成された領域の幅が最も広いＷｅｂデータ７０−１１を書込文章Ｗｅｂデータとして選択する。
これにより、本発明の第２実施形態によるＷｅｂページ文章自動検出装置２によれば、上記のＷｅｂページ７０が与えられたとき、利用者が必要とするテキストデータとしてテキスト文章Ｗｅｂデータを自動的に取得することができる。
【０１０６】
本発明の第２実施形態によるＷｅｂページ文章自動検出装置２によれば、登録部２３は、テキスト文章Ｗｅｂデータ７０−１１と、登録済Ｗｅｂデータ７１とが一致しないとき、テキスト文章Ｗｅｂデータ７０−１１を最新のテキストデータとして文章検出データベース２５に登録することが好ましい。
【０１０７】
本発明の第２実施形態によるＷｅｂページ文章自動検出装置２によれば、出力制御部２４は、テキスト文章Ｗｅｂデータ７０−１１と、登録済Ｗｅｂデータ７１とが一致しないとき、テキスト文章Ｗｅｂデータ７０−１１を最新のテキストデータとして音声合成装置５に出力することが好ましい。このとき、最新のテキストデータが音声合成装置５により読み上げられる。これにより、本発明の第２実施形態によるＷｅｂページ文章自動検出装置２によれば、利用者は、必要とするテキストデータを自身で選択することなく、最新のテキストデータの読み上げを聞くことができる。また、目や手が不自由な利用者でも簡単に利用することができる。
【０１０８】
本発明の第２実施形態によるＷｅｂページ文章自動検出装置２によれば、出力制御部２４は、テキスト文章Ｗｅｂデータ７０−１１と、登録済Ｗｅｂデータ７１とが一致しないとき、テキスト文章Ｗｅｂデータ７０−１１を最新のテキストデータとして表示装置６に出力することが好ましい。このとき、最新のテキストデータが表示装置６に表示される。これにより、本発明の第２実施形態によるＷｅｂページ文章自動検出装置２によれば、利用者は、必要とするテキストデータを自身で選択することなく、最新のテキストデータを見ることができる。また、手が不自由な利用者でも簡単に利用することができる。
【０１０９】
本発明の第２実施形態によるＷｅｂページ文章自動検出装置２によれば、出力制御部２４は、テキスト文章Ｗｅｂデータ７０−１１と、登録済Ｗｅｂデータ７１とが一致しないとき、テキスト文章Ｗｅｂデータ７０−１１を最新のテキストデータとして印刷装置７に出力することが好ましい。このとき、最新のテキストデータが印刷装置７により紙面で印刷される。これにより、本発明の第２実施形態によるＷｅｂページ文章自動検出装置２によれば、利用者は、必要とするテキストデータを自身で選択することなく、最新のテキストデータを見ることができる。また、手が不自由な利用者でも簡単に利用することができる。
【０１１０】
（第３実施形態）
本発明の第３実施形態によるＷｅｂページ文章自動検出装置２について説明する。第３実施形態によるＷｅｂページ文章自動検出装置２では、第１実施形態と第２実施形態とが実施される。この第３実施形態では、第１実施形態、第２実施形態と異なる点のみ説明する。
【０１１１】
図２２は、Ｗｅｂページ文章自動検出装置２の構成を示している。選択部２２は、記事文章取得命令実行部３０と、書込文章取得命令実行部４０とを含んでいる。
記事文章取得命令実行部３０は、記事候補選択部３１、記事文章候補選択部３２、記事文章選択部３３を含んでいる。記事文章取得命令実行部３０は、記事文章取得命令により、第１実施形態における記事文章取得処理を実行する。
書込文章取得命令実行部４０は、書込候補選択部４１、書込文章候補選択部４２、書込文章選択部４３を含んでいる。書込文章取得命令実行部４０は、書込文章取得命令により、第２実施形態における書込文章取得処理を実行する。
このように、選択部２２は、前述の記事文章取得処理又は書込文章取得処理を実行して、複数のＷｅｂデータの中から、テキストデータであり、且つ、文章のみを表すテキスト文章Ｗｅｂデータを選択する。
【０１１２】
図２３に示されるように、文章検出データベース２５には、アドレス６３と、登録済みの文章を表す登録済Ｗｅｂデータ６１とが対応付けられて登録される。文章検出データベース２５には、アドレス７３と、登録済みの文章を表す登録済Ｗｅｂデータ７１とが対応付けられて登録される。文章検出データベース２５には、選択部２２が記事文章取得命令６５又は書込文章取得命令７５を実行するための命令が登録される。
例えば、利用者は、アドレス６３により取得されるＷｅｂページ６０に対して記事文章取得処理を実行させたい場合、入力装置４を操作して、アドレス６３と記事文章取得命令６５とを対応付けて文章検出データベース２５に登録しておく。
例えば、利用者は、アドレス７３により取得されるＷｅｂページ７０に対して書込文章取得処理を実行させたい場合、入力装置４を操作して、アドレス７３と書込文章取得命令７５とを対応付けて文章検出データベース２５に登録しておく。
【０１１３】
図２４は、本発明の第３実施形態によるＷｅｂページ文章自動検出装置２の動作（Ｗｅｂページ文章自動検出処理）を示すフローチャートである。
【０１１４】
例えば、取得部２１は、アドレス６３によりＷｅｂページ６０を取得し（ステップＳ１）、選択部２２は、Ｗｅｂページ６０に対して前述のステップＳ２を実行する。ここで、文章検出データベース２５には、アドレス６３に対応する命令として記事文章取得命令６５が登録されている（ステップＳ４０−ＹＥＳ）。この場合、選択部２２の記事候補選択部３１、記事文章候補選択部３２、記事文章選択部３３は、記事文章取得命令６５により、Ｗｅｂページ６０に対して前述の記事文章取得処理（ステップＳ３）を実行する。その後、登録部２３は、Ｗｅｂページ６０に対して前述のステップＳ４〜Ｓ７を実行し、出力制御部２４は、Ｗｅｂページ６０に対して前述の出力処理（ステップＳ８）を実行する。
【０１１５】
例えば、取得部２１は、アドレス７３によりＷｅｂページ７０を取得し（ステップＳ１）、選択部２２は、Ｗｅｂページ７０に対して前述のステップＳ２を実行する。ここで、文章検出データベース２５には、アドレス７３に対応する命令として記事文章取得命令７５が登録されている（ステップＳ４０−ＮＯ）。この場合、選択部２２の書込候補選択部４１、書込文章候補選択部４２、書込文章選択部４３は、書込文章取得命令７５により、Ｗｅｂページ７０に対して前述の書込文章取得処理（ステップＳ３０）を実行する。その後、登録部２３は、Ｗｅｂページ７０に対して前述のステップＳ４〜Ｓ７を実行し、出力制御部２４は、Ｗｅｂページ７０に対して前述の出力処理（ステップＳ８）を実行する。
【０１１６】
本発明の第３実施形態によるＷｅｂページ文章自動検出装置２によれば、第１実施形態と第２実施形態とが選択的に実施されることが好ましい。取得部２１がアドレス６３によりＷｅｂページ６０を取得したときに、アドレス６３に対応する命令として記事文章取得命令６５が文章検出データベース２５に登録されている場合、選択部２２は、Ｗｅｂページ６０に対して、第１実施形態における記事文章取得処理を実行することが好ましい。取得部２１がアドレス７３によりＷｅｂページ７０を取得したときに、アドレス７３に対応する命令として書込文章取得命令７５が文章検出データベース２５に登録されている場合、選択部２２は、Ｗｅｂページ７０に対して、第２実施形態における書込文章取得処理を実行することが好ましい。
【０１１７】
以上の説明により、本発明のＷｅｂページ文章自動検出装置２は、利用者が必要とするテキストデータを自動的に取得することができる。
本発明のＷｅｂページ文章自動検出装置２は、利用者が必要とするテキストデータを自身で選択することなく、最新のテキストデータの読み上げを聞くことができる。
本発明のＷｅｂページ文章自動検出装置２は、利用者が必要とするテキストデータを自身で選択することなく、最新のテキストデータを見ることができる。
本発明のＷｅｂページ文章自動検出装置２は、目や手が不自由な利用者でも簡単に利用することができる。
【図面の簡単な説明】
【０１１８】
【図１】図１は、本発明のＷｅｂページ文章自動検出装置２が適用されるシステム（Ｗｅｂページ文章自動検出システム）の構成を示している。（第１実施形態〜第３実施形態）
【図２】図２は、本発明のＷｅｂページ文章自動検出装置２の構成を示している。（第１実施形態）
【図３】図３は、本発明のＷｅｂページ文章自動検出装置２の文章検出データベース２５を示している。（第１実施形態）
【図４】図４は、本発明のＷｅｂページ文章自動検出装置２の出力設定データベース２６を示している。（第１実施形態〜第３実施形態）
【図５】図５は、図１のＷｅｂページ文章自動検出システムの音声合成装置５の構成を示している。（第１実施形態〜第３実施形態）
【図６】図６は、音声合成装置５の辞書データベース５５を示している。（第１実施形態〜第３実施形態）
【図７】図７は、本発明のＷｅｂページ文章自動検出装置２の動作（Ｗｅｂページ文章自動検出処理）を示すフローチャートである。（第１実施形態）
【図８】図８は、本発明のＷｅｂページ文章自動検出装置２の動作として記事文章取得処理（ステップＳ３）を示すフローチャートである。（第１実施形態、第３実施形態）
【図９】図９は、本発明のＷｅｂページ文章自動検出装置２の動作として出力処理（ステップＳ８）を示すフローチャートである。（第１実施形態〜第３実施形態）
【図１０】図１０は、本発明のＷｅｂページ文章自動検出装置２の動作を説明するためのＷｅｂページ６０を示している。（第１実施形態、第３実施形態）
【図１１】図１１は、本発明のＷｅｂページ文章自動検出装置２の動作を説明するためのＷｅｂページ６０を示している。（第１実施形態、第３実施形態）
【図１２】図１２は、本発明のＷｅｂページ文章自動検出装置２の動作を説明するためのＷｅｂページ６０を示している。（第１実施形態、第３実施形態）
【図１３】図１３は、本発明のＷｅｂページ文章自動検出装置２の動作を説明するためのＷｅｂページ６０を示している。（第１実施形態、第３実施形態）
【図１４】図１４は、本発明のＷｅｂページ文章自動検出装置２の構成を示している。（第２実施形態）
【図１５】図１５は、本発明のＷｅｂページ文章自動検出装置２の文章検出データベース２５を示している。（第２実施形態）
【図１６】図１６は、本発明のＷｅｂページ文章自動検出装置２の動作（Ｗｅｂページ文章自動検出処理）を示すフローチャートである。（第２実施形態）
【図１７】図１７は、本発明のＷｅｂページ文章自動検出装置２の動作として書込文章取得処理（ステップＳ３０）を示すフローチャートである。（第２実施形態、第３実施形態）
【図１８】図１８は、本発明のＷｅｂページ文章自動検出装置２の動作を説明するためのＷｅｂページ７０を示している。（第２実施形態、第３実施形態）
【図１９】図１９は、本発明のＷｅｂページ文章自動検出装置２の動作を説明するためのＷｅｂページ７０を示している。（第２実施形態、第３実施形態）
【図２０】図２０は、本発明のＷｅｂページ文章自動検出装置２の動作を説明するためのＷｅｂページ７０を示している。（第２実施形態、第３実施形態）
【図２１】図２１は、本発明のＷｅｂページ文章自動検出装置２の動作を説明するためのＷｅｂページ７０を示している。（第２実施形態、第３実施形態）
【図２２】図２２は、本発明のＷｅｂページ文章自動検出装置２の構成を示している。（第３実施形態）
【図２３】図２３は、本発明のＷｅｂページ文章自動検出装置２の文章検出データベース２５を示している。（第３実施形態）
【図２４】図２４は、本発明のＷｅｂページ文章自動検出装置２の動作（Ｗｅｂページ文章自動検出処理）を示すフローチャートである。（第３実施形態）
【符号の説明】
【０１１９】
１    コンピュータ
２    Ｗｅｂページ文章自動検出装置
３    通信装置
４    入力装置
５    音声合成装置
６    表示装置
７    印刷装置
８    出力装置
１０    制御装置
１１    ＣＰＵ
１２    記憶装置
２０    コンピュータプログラム
２１    取得部
２２    選択部
２３    登録部
２４    出力制御部
２５    文章検出データベース
２６    出力設定データベース
３０    記事文章取得命令実行部
３１    記事候補選択部
３２    記事文章候補選択部
３３    記事文章選択部
４０    書込文章取得命令実行部
４１    書込候補選択部
４２    書込文章候補選択部
４３    書込文章選択部
５１    音声合成エンジン
５５    辞書データベース
５６    スピーカ
６０    Ｗｅｂページ
６０−１〜６０−２４    Ｗｅｂデータ
６１    登録済Ｗｅｂデータ
６３    アドレス
７０    Ｗｅｂページ
７０−１〜７０−１２    Ｗｅｂデータ
７１    登録済Ｗｅｂデータ
７３    アドレス
１００    ネットワーク
２００    サーバ
３００    端末
【図１】
0004584166.tif 000002
【図２】
0004584166.tif 000003
【図３】
0004584166.tif 000004
【図４】
0004584166.tif 000005
【図５】
0004584166.tif 000006
【図６】
0004584166.tif 000007
【図７】
0004584166.tif 000008
【図８】
0004584166.tif 000009
【図９】
0004584166.tif 000010
【図１０】
0004584166.tif 000011
【図１１】
0004584166.tif 000012
【図１２】
0004584166.tif 000013
【図１３】
0004584166.tif 000014
【図１４】
0004584166.tif 000015
【図１５】
0004584166.tif 000016
【図１６】
0004584166.tif 000017
【図１７】
0004584166.tif 000018
【図１８】
0004584166.tif 000019
【図１９】
0004584166.tif 000020
【図２０】
0004584166.tif 000021
【図２１】
0004584166.tif 000022
【図２２】
0004584166.tif 000023
【図２３】
0004584166.tif 000024
【図２４】
0004584166.tif 000025